(57)【要約】【課題】シミュレーターの作動中、配線および配管に何らかの曲げ応力、引張応力が作用することなく、シミュレーター内で容易に配索することができ、しかも、加振装置の自由度に応じて容易に配線および配管することができること。【解決手段】各加振装置を構成するアクチュエータ３８Ａおよび３８Ｂにそれぞれ、付設されるスライドダクト装置が、配線／配管資材群ＷＨが挿入されるケーブルベア４２Ａ、および、案内ダクト４０Ａと、案内ダクト４０Ａを摺動可能に支持するスライドレールユニットＳＬＵとを含んで構成され、アクチュエータ３８Ａおよび３８Ｂに連結される揺動ベース１２に、案内ダクト４０Ａを通過した配線／配管資材群ＷＨを損傷させることなく整列させる配線／配管資材整列機構５０を備えるもの。【選択図】図２
2015033671.tif 000002
【特許請求の範囲】
【請求項１】
往復動および揺動される揺動ベースに、一端の連結固定端が連結され第１の位置と第２の位置との間を移動せしめられるピストンを有するアクチュエータと、
前記アクチュエータを駆動制御する駆動制御手段と、
配線または配管資材が挿入される一方の開口端に連通する通路を有し、前記ピストンの移動に応じて前記アクチュエータに移動可能に支持される案内ダクトと、
前記ピストンの一端の連結固定端に配され、前記案内ダクトの通路の他方の開口端からの配線または配管資材を摺動および回動可能な整列部材を介して整列させる整列機構と、
を具備して構成される加振装置。
【請求項２】
往復動および揺動される揺動ベースにおける異なる複数の箇所に、一端の連結固定端が連結され第１の位置と第２の位置との間を移動せしめられるピストンをそれぞれ、有する複数のアクチュエータと、
前記アクチュエータを駆動制御する駆動制御手段と、
配線または配管資材が挿入される一方の開口端に連通する通路を有し、前記ピストンの移動に応じて前記複数のアクチュエータのうちの少なくとも一つに移動可能に支持される案内ダクトと、
前記ピストンの一端の連結固定端に配され、前記案内ダクトの通路の他方の開口端からの配線または配管資材を摺動および回動可能な複数の整列部材を介して整列させる整列機構と、
コックピット支持台と前記揺動ベースとの間に配され６自由度の機構を有するヘキサポッドと、
を具備して構成される加振装置を備えるシミュレーター用加振システム。
【請求項３】
前記揺動ベースは、前記複数のアクチュエータが配される共通の平面上において３自由度の機構を有することを特徴とする請求項２記載の加振装置を備えるシミュレーター用加振システム。
【請求項４】
前記整列機構における整列部材は、配線または配管資材が貫通する溝を有し該配線または配管資材を保持することを特徴とする請求項３記載の加振装置を備えるシミュレーター用加振システム。
【請求項５】
前記案内ダクトは、前記揺動ベースに連結された前記ピストンの一端の連結固定端に対する該案内ダクトの軸線のなす角度を変更可能となるように、該連結固定端にジョイントを介して連結されることを特徴とする請求項２記載の加振装置を備えるシミュレーター用加振システム。
【発明の詳細な説明】
【技術分野】
【０００１】
本発明は、加振装置、および、それを備えるシミュレーター用加振システムに関する。
【背景技術】
【０００２】
ドライビングシミュレーターは、例えば、特許文献１および特許文献２にも示されるように、車両モデルが搭載されたドームと、そのドームの底部を構成する基板の支持台と移動台との間に配されドームを支持するヘキサポッドと、ドームを並進運動させるＸＹ並進機構とを含んで構成されている。ヘキサポッドは、ドームをピッチ方向、ロール方向、ヨー方向にそれぞれチルト運動させる６自由度の機構であって、６本の油圧シリンダを有している。加振装置としてのＸＹ並進機構は、共通の平面上において互いに直交するＸ方向およびＹ方向にドームを、ヘキサポッドを介して並進運動させるものとされる。その際、２自由度のＸＹ並進機構は、レールおよびベルトを介して二つの駆動モータにより移動台を移動させるものとされる。上述のドーム内の車両モデル、ヘキサポッドおよびＸＹ並進機構、ならびに、ヘキサポッドおよびＸＹ並進機構に付設された検出器は、それぞれ、所定のワイヤーハーネスを介して所定のコンピュータに電気的に接続されている。
【先行技術文献】
【特許文献】
【０００３】
【特許文献１】特開２００７−３３５６３号公報
【特許文献２】特開２００５−５０５７８３号公報
【特許文献３】特開２００２−３１１８０８号公報
【特許文献４】実開平５−５６３７４号公報
【発明の概要】
【発明が解決しようとする課題】
【０００４】
上述のドライビングシミュレーターにおいて、上述のワイヤーハーネスが、ドライビングシミュレーターが作動中、車両モデル内の被験者の視界を遮り、または、ヘキサポッドおよびＸＹ並進機構等の動作の障害とならないようにワイヤーハーネスがドライビングシミュレーター内で固定され配置されることが必要とされる。
【０００５】
しかしながら、ワイヤーハーネスをヘキサポッドおよびＸＹ並進機構等における可動部位に留めることは、ドームおよびＸＹ並進機構の運動が比較的高速度で、かつ、範囲が比較的広い場合、ワイヤーハーネスに何らかの曲げ応力、引張応力が作用することにより、ワイヤーハーネスが断線する虞がある。斯かる場合、ワイヤーハーネスを、余裕をもった長さで配索することも考えられるが、ドライビングシミュレーターの作動中、ワイヤーハーネスの振れ回り等が起きる虞があるので得策ではない。また、例えば、加振装置としての並進機構の自由度が増すにつれてドライビングシミュレーター内のワイヤーハーネスの配索および固定が容易ではない。
【０００６】
以上の問題点を考慮し、本発明は、加振装置、および、それを備えるシミュレーター用加振システムであって、シミュレーターの作動中、配線および配管に何らかの曲げ応力、引張応力が作用することなく、シミュレーター内で容易に配索することができ、しかも、加振装置の自由度に応じて容易に配線および配管することができる加振装置、および、それを備えるシミュレーター用加振システムを提供することを目的とする。
【課題を解決するための手段】
【０００７】
上述の目的を達成するために、本発明に係る加振装置は、往復動および揺動される揺動ベースに、一端の連結固定端が連結され第１の位置と第２の位置との間を移動せしめられるピストンを有するアクチュエータと、アクチュエータを駆動制御する駆動制御手段と、配線または配管資材が挿入される一方の開口端に連通する通路を有し、ピストンの移動に応じてアクチュエータに移動可能に支持される案内ダクトと、ピストンの一端の連結固定端に配され、案内ダクトの通路の他方の開口端からの配線または配管資材を摺動および回動可能な整列部材を介して整列させる整列機構と、を備えて構成される。
【０００８】
本発明に係る加振装置を備えるシミュレーター用加振システムは、往復動および揺動される揺動ベースにおける異なる複数の箇所に、一端の連結固定端が連結され第１の位置と第２の位置との間を移動せしめられるピストンをそれぞれ、有する複数のアクチュエータと、アクチュエータを駆動制御する駆動制御手段と、配線または配管資材が挿入される一方の開口端に連通する通路を有し、前記ピストンの移動に応じて前記複数のアクチュエータのうちの少なくとも一つに移動可能に支持される案内ダクトと、ピストンの一端の連結固定端に配され、案内ダクトの通路の他方の開口端からの配線または配管資材を摺動および回動可能な複数の整列部材を介して整列させる整列機構と、コックピット支持台と揺動ベースとの間に配され６自由度を有するヘキサポッドと、を備えて構成される。
【発明の効果】
【０００９】
本発明に係る加振装置、および、それを備えるシミュレーター用加振システムによれば、配線または配管資材が挿入される一方の開口端に連通する通路を有し、ピストンの移動に応じてアクチュエータに移動可能に支持される案内ダクトと、ピストンの一端の連結固定端に配され、案内ダクトの通路の他方の開口端からの配線または配管資材を摺動および回動可能な整列部材を介して整列させる整列機構と、を備えるので配線または配管資材がピストンの移動に追従するとともに配線または配管資材の位置および曲がりが整列部材により調整されるのでシミュレーターの作動中、配線および配管に何らかの曲げ応力、引張応力が作用することなく、シミュレーター内で容易に配索することができ、しかも、加振装置の自由度に応じて容易に配線および配管することができる。
【図面の簡単な説明】
【００１０】
【図１】本発明に係る加振装置を備えるシミュレーター用加振システムの一例に用いられる配線／配管資材整列機構の外観を、配線／配管資材群とともに示す斜視図である。
【図２】本発明に係る加振装置を備えるシミュレーター用加振システムの一例の構成を概略的に示す斜視図である。
【図３】本発明に係る加振装置を備えるシミュレーター用加振システムの一例の構成を概略的に示す斜視図である。
【図４】本発明に係る加振装置を備えるシミュレーター用加振システムの一例の構成を概略的に示す斜視図である。
【図５】図２に示される例における平面図である。
【図６】図２に示される例において用いられるケーブルベア（登録商標）およびスライドレールユニットを示す一部断面図を含む構成図である。
【図７】図６に示されるスライドレールユニットの構成を示す部分断面図である。
【図８】図１に示される配線／配管資材整列機構を、案内ダクトを通過した配線／配管資材群とともに示す平面図である。
【図９】図８に示される例における正面図である。
【図１０】図８に示される例における側面図である。
【図１１】配線／配管資材整列機構の動作説明に供される説明図である。
【図１２】（Ａ）および（Ｂ）は、それぞれ、スライドダクト装置の動作説明に供される図である。
【発明を実施するための形態】
【００１１】
図２は、本発明に係る加振装置を備えるシミュレーター用加振システムの一例の外観を概略的に示す。
【００１２】
図２において、シミュレーター用加振システムは、例えば、ドライビングシミュレーター内の所定の位置に配置されている。図２において、図示が省略される車両モデルのコックピットＣＰ（図２および図３参照）が、後述するヘキサポッドの上端部におけるコックピット支持台２０に固定されている。コックピットＣＰは、図２において、車両モデルのフロント側端部および左側ドアが、それぞれ、矢印ＸおよびＹの示す方向に向けられるようにコックピット支持台２０に配置される。
【００１３】
シミュレーター用加振システムは、図５に示されるように、コックピットＣＰの周囲を取り囲むように円周方向に沿って３箇所に均等に離隔されて配置され後述する揺動ベース１２を往復動および揺動させる３基の加振装置と、各加振装置よりもコックピットＣＰ側に配され各加振装置の一端に連結される揺動ベース１２と、コックピット支持台２０と揺動ベース１２との間に配されコックピット支持台２０の姿勢を制御するヘキサポッドと、各加振装置に付設されるスライドダクト装置と、ホストコンピュータ（不図示）とを主な要素として含んで構成されている。
【００１４】
３自由度を有する揺動ベース１２は、所定の平面度を有する定盤１０（図５参照）上に往復動および揺動可能に配されている。即ち、揺動ベース１２は、図５において矢印の示す方向に沿って双方向に揺動可能とされるとともに、後述する各加振装置のアクチュエータのピストンの軸線に沿って往復動可能とされる。
【００１５】
定盤１０の表面に対向する揺動ベース１２の下面における３箇所には、静圧軸受１４Ａ，１４Ｂ，および１４Ｃが設けられている。静圧軸受１４Ａ，１４Ｂ，および１４Ｃは、後述する空気圧タンクに作動空気が供給されない場合、定盤１０の表面に当接し、作動空気が供給される場合、定盤１０の表面に対し所定の隙間をもって配されている。上述の矢印ＸおよびＹに対し直交する方向における揺動ベース１２の定盤１０の表面に対する所定以上の過度の浮き上がりは、揺動ベース１２の側面に設けられる異常検出器ＳＥ１により検出される。揺動ベース１２の上面には、上述の静圧軸受１４Ａ，１４Ｂ，および１４Ｃに向き合ってアクチュエータ支持台２２Ａ，２２Ｂ，２２Ｃが設けられている。アクチュエータ支持台２２Ａには、図３に示されるように、後述するヘキサポッドを構成するアクチュエータ１８Ａ，１８Ｂの一端がユニバーサルジョイントを介して連結されている。アクチュエータ支持台２２Ｂには、後述するヘキサポッドを構成するアクチュエータ１８Ｃ，１８Ｄの一端がユニバーサルジョイントを介して連結されている。アクチュエータ支持台２２Ｃには、図４に示されるように、後述するヘキサポッドを構成するアクチュエータ１８Ｅ，１８Ｆの一端がユニバーサルジョイントを介して連結されている。また、アクチュエータ支持台２２Ａ，２２Ｂ，２２Ｃの一方の側部には、ゴム製のストッパ２２ａ，２２ｂ，２２ｃが設けられている。ストッパ２２ａ，２２ｂ，２２ｃは、万一、揺動ベース１２が加振装置に所定以上に近接した場合、加振装置の当接するものとされる。
【００１６】
６自由度を有するヘキサポッドは、ユニバーサルジョイントを有するピストンを備えるアクチュエータ１８Ａ，１８Ｂ、１８Ｃ，１８Ｄ、１８Ｅ，１８Ｆ、アクチュエータ１８Ａ〜１８Ｆをそれぞれ駆動するサーボモータ２４Ａ，２４Ｂ，２４Ｃ，２４Ｄ，２４Ｅ，２４Ｆと、サーボモータ２４Ａ〜２４Ｆからの出力をそれぞれ、減速してアクチュエータ１８Ａ〜１８Ｆに伝達する減速機構部と、を主な要素として含んで構成されている。アクチュエータ１８Ａ〜１８Ｆは、互いに同一の構造を有し、例えば、特許文献３にも示されるような、ボールネジ（ピストン）、ボールナットを含んで構成されるものとされる。ロータリーエンコーダを備えるサーボモータ２４Ａ〜２４Ｆは、図示が省略される各位置センサからの検出出力に基づいて所定のシミュレーションプログラムに従いホストコンピュータにより駆動制御される。その各位置センサは、アクチュエータ１８Ａ〜１８Ｆの各ピストンの位置を検出するものとされる。
【００１７】
３基の加振装置は、それぞれ、アクチュエータ支持台３０Ａ、３０Ｂ、３０Ｃを備えている。アクチュエータ支持台３０Ａ、３０Ｂ、３０Ｃは、それぞれ、所定の角度間隔、例えば、１２０°をもってユニバーサルジョイント３６Ａ〜３６Ｃが共通の円周ＣＣ（図５参照）上にあるようにフロアーに配置されている。アクチュエータ支持台３０Ａ、３０Ｂ、３０Ｃは、後述するアクチュエータ３８Ａ，３８Ｂ，３８Ｃ等を支持プレート３４Ａ〜３４Ｃ，およびユニバーサルジョイント３６Ａ〜３６Ｃを介して支持している。アクチュエータ支持台３０Ａ〜３０Ｃ、支持プレート３４Ａ〜３４Ｃは、互いに同一の構造を有するのでアクチュエータ支持台３０Ａ、支持プレート３４Ａについて説明し、他のアクチュエータ支持台、支持プレートの説明を省略する。
【００１８】
支持プレート３４Ａの一方の端面は、ユニバーサルジョイント３６Ａを介してアクチュエータ支持台３０Ａに揺動可能に支持されている。支持プレート３４Ａの他方の端面には、アクチュエータ３８Ａおよびロータリーエンコーダを備えるサーボモータ３２Ａが設けられている。サーボモータ３２Ａの出力軸とアクチュエータ３８Ａ内のボールナット（不図示）とは、減速機構を介して連結されている。これにより、サーボモータ３２Ａがホストコンピュータにより駆動制御されることにより、アクチュエータ３８Ａの動作が制御されることとなる。アクチュエータ３８Ａは、例えば、特許文献３にも示されるような、ボールネジ（ピストン）、ボールナットを含んで構成されるものとされる。アクチュエータ３８Ａのピストン３８Ｐの先端は、ユニバーサルジョイント４３Aを介して後述する整列機構支持ブロック５２に連結されている（図９参照）。３基のアクチュエータ３８A〜３８Cにおける整列機構支持ブロックに連結されるユニバーサルジョイント４３Aは、その回転軸心が共通の円周上にあるように配されている。整列機構支持ブロック５２は、揺動ベース１２の上面におけるトライアングルプレート２６および揺動ベース１２の双方にボルト（不図示）により固定されている。トライアングルプレート２６は、その中心が揺動ベース１２の回転中心と一致する状態で揺動ベース１２にボルト（不図示）により固定されている。また、各整列機構支持ブロック５２は、揺動ベース１２およびトライアングルプレート２６の回転中心に対し同一の所定距離だけ離隔した位置に固定されている。なお、その所定距離は、揺動ベース１２の揺動角、揺動角速度、角加速度と揺動ベースの可動範囲および製造可能なアクチュエータの能力に基づいて決定される。
【００１９】
これにより、揺動ベース１２がアクチュエータ３８Ａのピストン３８Ｐの伸縮に応じて往復動、揺動されることとなる。
【００２０】
トライアングルプレート２６における２箇所には、作動空気を上述の静圧軸受１４Ａ〜１４Ｃにそれぞれ供給するエアーホースが挿入される穴ＨＡが形成されている（図２参照）。
【００２１】
スライドダクト装置は、図２および図１２（Ａ）に示されるように、アクチュエータ３８Ａおよび３８Ｂにそれぞれ、付設されている。各スライドダクト装置は、互いに同一の構造を有するのでアクチュエータ３８Ａに付設されたスライドダクト装置について説明し、他のスライドダクト装置の説明を省略する。スライドダクト装置は、図示が省略されるホストコンピュータとシミュレーター用加振システムとを電気的に接続するワイヤーハーネス、および、空気圧源（空気圧タンク）からの作動空気を静圧軸受に供給するエアーホース等を案内しつつ保護するものとされる。
【００２２】
スライドダクト装置は、配索資材誘導部材としてのケーブルベア（登録商標）４２Ａ、および、案内ダクト４０Ａと、案内ダクト４０Ａを摺動可能に支持するスライドレールユニットＳＬＵと、を主な要素として含んで構成されている。ケーブルベア４２Ａ、および、案内ダクト４０Ａは、図示が省略されるホストコンピュータからのワイヤーハーネスおよび空気タンクからの１本もしくは複数本のエアーホースを含んでなる配線／配管資材群ＷＨを保護し案内する。
【００２３】
ケーブルベア４２Ａは、例えば、特許文献４にも示されるように、配線／配管資材群ＷＨが挿入される中枠を有している。配線／配管資材群ＷＨは、その中枠に所定のクランプ装置により固定されている。配線／配管資材群ＷＨが挿入されるケーブルベア４２Ａの開口端の周縁が、ケーブルベア固定具４４Ａにより支持されている。一対の脚部を有するケーブルベア固定具４４Ａは、図６に示されるように、その一対の脚部がアクチュエータ３８Ａにおける向かい合う側面を挟持することにより、アクチュエータ３８Ａに保持されている。これにより、ケーブルベア４２Ａにおける案内ダクト４０Ａの開口端部に連結される端部が一対の脚部相互間を通過することとなる。
【００２４】
管状の案内ダクト４０Ａは、アクチュエータ３８Ａに支持される後述するスライドレールユニットＳＬＵにより移動可能に支持されている。案内ダクト４０Ａは、アクチュエータ３８Ａのピストン３８Ｐの中心軸線に沿って延びている。案内ダクト４０Ａの一方の開口端部における周縁に設けられる連結端部４４ＡＣは、ピストン３８Ｐの先端に連結されるユニバーサルジョイント４３Aに連結されている。また、案内ダクト４０Ａの他方の開口端部における周縁は、ケーブルベア４２Ａの端部に連結されている。案内ダクト４０Ａは、図７に示されるように、配線／配管資材群ＷＨが挿入される案内通路４０ａを有している。
【００２５】
スライドレールユニットＳＬＵは、図６および図７に示されるように、ケーブルベア固定具４４Ａの一対の脚部の相互間を通過するように配置されている。スライドレールユニットＳＬＵは、ケーブルベア固定具４４Ａの一対の脚部の相互間に設けられる支持プレート、および、アクチュエータ３８Ａの本体部の端部に固定されている。スライドレールユニットＳＬＵは、支持プレートに固定されベアリング部を保持するレール５０Ａと、そのベアリング部に対し摺動するスライダ４８Ａと、スライダ４８Ａに連結され案内ダクト４０Ａを支持する移動プレート４６Ａと、を含んで構成されている。
【００２６】
斯かる構成において、作動状態とされたアクチュエータ３８Ａのピストン３８Ｐの先端が揺動ベース１２を押圧するように伸びる第１の位置をとる場合、図１２（Ｂ）に示されるように、案内ダクト４０Ａの連結端部４４ＡＣが配線／配管資材群ＷＨとともにアクチュエータ３８Ａの本体部から離隔される。その際、案内ダクト４０Ａは、上述のスライドレールユニットＳＬＵの移動プレート４６Ａおよびスライダ４８Ａとともにレール５０Ａに対し摺動される。ケーブルベア４２Ａにおける案内ダクト４０Ａの端部に連結される部分が、追従することにより、ケーブルベア４２Ａが柔軟に折れ曲がるものとされる。また、配線／配管資材群ＷＨがケーブルベア４２Ａに固定されているので配線／配管資材群ＷＨが案内ダクト４０Ａの案内通路４０ａの内周部と擦れ合うこともない。
【００２７】
一方、アクチュエータ３８Ａのピストン３８Ｐの先端が揺動ベース１２を引くように収縮する第２の位置をとる場合、図１２（Ａ）に示されるように、案内ダクト４０Ａの連結端部４４ＡＣが配線／配管資材群ＷＨとともにアクチュエータ３８Ａの本体部に対し近接される。
【００２８】
連結固定端部としての整列機構支持ブロック５２の上端部には、図９および図１０に示されるように、配線／配管資材整列機構５０が、各スライドダクト装置に対応して設けられている。配線／配管資材整列機構５０は、図１に示されるように、上述の案内ダクト４０Ａを通過した配線／配管資材群ＷＨを損傷させることなく整列させるものとされる。
【００２９】
図１においては、例えば、ワイヤーハーネスを構成する電線Ｄ２，Ｄ３，Ｄ４，Ｄ５，Ｄ６，Ｄ７、および、作動空気を供給するエアーホースＤ１を含んで構成される配線／配管資材群ＷＨを代表的に示す。電線Ｄ２，Ｄ３，Ｄ４，Ｄ５，Ｄ６，Ｄ７は、例えば、上述した各近接センサ、ロータリーエンコーダ、サーボモータ等とホストコンピュータとを電気的に接続するものとされる。
【００３０】
配線／配管資材整列機構５０は、整列機構支持ブロック５２の上端部に固定される支持プレート５４に固定されるロアガイドプレート５６Ｌと、ロアガイドプレート５６Ｌに所定距離をもって向かい合って配されるアッパガイドプレート５６Ｕと、４個のサポートロッド６０Ａ，６０Ｂ，６０Ｃ，および６０Ｄと、を含んで構成される。
【００３１】
ロアガイドプレート５６Ｌとアッパガイドプレート５６Ｕとは、所定の間隔をもって互いに平行となるように、一対のステー５８により連結されている。ロアガイドプレート５６Ｌとアッパガイドプレート５６Ｕとは、互いに同一の構造を有するのでロアガイドプレート５６Ｌについて説明し、アッパガイドプレート５６Ｕの説明を省略する。
【００３２】
アッパガイドプレート５６Ｕは、例えば、樹脂材料で作られ、案内溝５６ｇを４箇所に有している。各案内溝５６ｇは、互いに平行に配列され、配線／配管資材群ＷＨを構成する電線およびエアーホースの軸線方向に沿って延びている。隣接する案内溝５６ｇは、仕切壁５６ｗｂにより仕切られている。右端の案内溝５６ｇには、側壁５６ｗａが、仕切壁５６ｗｂに向かい合って形成されている。
【００３３】
整列部材としてのサポートロッド６０Ａ，６０Ｂ，６０Ｃ，および６０Ｄは、各案内溝５６ｇに摺動および回動可能に配されている。サポートロッド６０Ａ，６０Ｂ，６０Ｃ，および６０Ｄは、互いに同一の構造を有するのでサポートロッド６０Ａについて説明し、他のサポートロッドの説明を省略する。
【００３４】
サポートロッド６０Ａは、例えば、アルミニウム合金で円柱状に作られており、Ｕ字形の断面を有する溝６０ｇを有している。溝６０ｇは、サポートロッド６０Ａの半径方向に沿って貫通している。溝６０ｇの幅は、例えば、エアーホースＤ１の直径よりも若干大に設定されている。サポートロッド６０Ａの上端面には、エアーホースＤ１を押圧し溝６０ｇ内に固定するストッパープレート６２Ａが小ネジで固定されている。他のサポートロッドの上端面にも、同様なストッパープレート６２Ｂ〜６２Ｄが小ネジで固定されている。これにより、図８に示されるように、案内ダクト４０Ａを通過した配線／配管資材群ＷＨにおけるワイヤーハーネスを構成する電線Ｄ２，Ｄ３，Ｄ４，Ｄ５，Ｄ６，Ｄ７、および、作動空気を供給するエアーホースＤ１は、それぞれ、配線／配管資材整列機構５０におけるサポートロッド６０Ｂ，６０Ｃ，６０Ｄ、６０Ａの溝６０ｇを通過した後、近接センサ、ロータリーエンコーダ、サーボモータ、静圧軸受に接続されている。
【００３５】
斯かる構成において、シミュレーター用加振システムが作動状態とされる場合、図１１に示されるように、スライドダクト装置の揺動ベース１２に対する相対移動、あるいは、揺動ベース１２のスライドダクト装置に対する相対移動が引き起こされることに起因して配線／配管資材群ＷＨに曲げ、圧縮力または引張力が作用する虞がある。即ち、案内ダクト４０Aは、図９に示されるように、その連結端部４４ＡＣがピストン３８Pの先端に結合されるユニバーサルジョイント４３Aを介して整列機構支持ブロック５２に連結されているので案内ダクト４０Aは、その中心軸線が、図１１に示されるように、支持プレート５４の中心軸線に対し時計回り方向あるいは反時計回り方向に所定の角度αの範囲で回動可能に交わるように、整列機構支持ブロック５２に対し揺動可能とされる。これにより、案内ダクト４０Aは、その中心軸線が、支持プレート５４の中心軸線に対し所定の角度αで交わる場合、曲げ応力が、電線Ｄ２〜Ｄ７、および、エアーホースＤ１に作用することとなる。
【００３６】
そのような場合、その引き起こされた力で電線Ｄ２〜Ｄ７、および、エアーホースＤ１を保持するサポートロッド６０Ｂ，６０Ｃ，６０Ｄ、６０Ａが、溝５６ｇ内で摺動および回転せしめられることにより電線Ｄ２〜Ｄ７、および、エアーホースＤ１自体に力が作用せず、しかも、電線Ｄ２〜Ｄ７、および、エアーホースＤ１自体の動きを規制しつつ擦れも回避される。
【００３７】
なお、上述の本発明に係る加振装置を備えるシミュレーター用加振システムの一例は、ドライビングシミュレーターに適用されたが、斯かる例に限られることなく、例えば、フライトシミュレーター等の他のシミュレーターに適用されてもよい。また、上述の例においては、スライドダクト装置が、２箇所に設けられているが、斯かる例に限られることなく、スライドダクト装置が、１箇所、あるいは、３箇所に設けられてもよい。さらに、上述の例においては、配線／配管資材整列機構が、４個のサポートロッドを備えているが、斯かる例に限られることなく、ワイヤーハーネスの数量に応じて１乃至３個のサポートロッド、５個以上のサポートロッドを備えるものでもよい。
【符号の説明】
【００３８】
１２    揺動ベース
３８Ａ，３８Ｂ，３８Ｃ    アクチュエータ
３８Ｐ    ピストン
４０Ａ，４０Ｂ，４０Ｃ    案内ダクト
５０    配線／配管資材整列機構
６０Ａ、６０Ｂ，６０Ｃ，６０Ｄ    サポートロッド
ＳＬＵ    スライドレールユニット
ＷＨ    配線／配管資材群
【図１】
2015033671.tif 000003
【図２】
2015033671.tif 000004
【図３】
2015033671.tif 000005
【図４】
2015033671.tif 000006
【図５】
2015033671.tif 000007
【図６】
2015033671.tif 000008
【図７】
2015033671.tif 000009
【図８】
2015033671.tif 000010
【図９】
2015033671.tif 000011
【図１０】
2015033671.tif 000012
【図１１】
2015033671.tif 000013
【図１２】
2015033671.tif 000014